(57)【要約】      （修正有）【課題】消毒液ボトルに触れる必要がなく、足踏みにより消毒液を供給し、且つ、人の衣服に消毒液が飛び跳ねたりすることを回避出来る足踏み式消毒液供給装置を提供する。【解決手段】足踏み式消毒液供給装置１は、ペダル部６と、ペダル部６に連接するように付設されたペダル受け部５と、ペダル受け部５に連動して動作するバネ部４と、消毒除菌液の入ったスプレ−ボトルＳの上部に付設されたスプレ−ポンプをペダル部６操作により押圧して消毒除菌液を噴射させることができる押圧部７と、押圧部７とペダル受け部５との間を連結するジョイント部８と、消毒除菌液の入ったスプレ−ボトルＳを搭載することができるスプレ−ボトル搭載部１０とを具備する。ペダル部６がペダル受け部５に対して脱着可能に構成され、ペダル部をペダル受け部から脱着して消毒液の供給方向と反対方向に装着できる。【選択図】図１
0003229054.tif 000002
【実用新案登録請求の範囲】
【請求項１】
ペダル部と、当該ペダル部に連接するように付設されたペダル受け部と、当該ペダル受け部に連動して動作するバネ部と、消毒除菌液の入ったスプレ−ボトルの上部に付設されたスプレ−ポンプを前記ペダル部操作により押圧して消毒除菌液を噴射させることができる押圧部と、当該押圧部と当該ペダル受け部との間を連結するジョイント部と、当該消毒除菌液の入ったスプレ−ボトルを搭載することができるスプレ−ボトル搭載部とを具備してなり、前記ペダル部が前記ペダル受け部に対して脱着可能に構成されてなることを特徴とする足踏み式消毒液供給装置。
【請求項２】
更に、スプレ−ボトル搭載部に搭載されたスプレ−ボトルの高さの変化に応じて、スプレ−ボトル搭載部の高さを調節可能なツマミ部を備えてなることを特徴とする、請求項１に記載の足踏み式消毒液供給装置。
【請求項３】
更に又、消毒除菌液の入ったスプレ−ボトルを備蓄しておくことができる備蓄空間部を設けてなることを特徴とする、請求項１又は２に記載の足踏み式消毒液供給装置。
【考案の詳細な説明】
【技術分野】
【０００１】
本考案は、足踏み式消毒液供給装置に関し、特に、消毒液の供給の際に、不特定多数の人が消毒液ボトルに触れることに対し警戒心を持ち、消毒液ボトルに触れることを躊躇したりする人がいるが、人が消毒液ボトルに手を触れてボトルからの消毒液の供給を受けるという操作が必要ではなく、ペダル操作で足踏みにより消毒液の供給をなし得、しかも、ペダル操作の当該足踏みによる消毒液の供給の際に、人の衣服に消毒液が飛び跳ねたりすることを回避出来るようになっている等数々の利点を有する足踏み式消毒液供給装置に関するものである。
【背景技術】
【０００２】
新型コロナウイルスへの対処に手指消毒除菌スプレ−ボトルが使用され、アルコ−ル等の消毒除菌液の入った手指消毒除菌スプレ−ボトルの上部に付設されたスプレ−ポンプを、指又は手で押して消毒除菌液を手指に対して噴射させることが行われている。その操作では、不特定多数の人々が、スプレ−ボトルの当該操作部に触れる為に、警戒心から、手指操作の必要な手指消毒除菌スプレ−ボトルに触れることを躊躇したりする人がいる。
一方、手指消毒除菌スプレ−ボトルに対抗して、手指操作の必要がなく、足踏み式の消毒液供給装置も提供されている（特開２００８−２２９２９６号公報、特開２０１１−１１０２５２号公報）。
当該足踏み式消毒液供給装置では、足踏み用のペダルが設けられていて、当該ペダルを足で踏み込むと、スプレ−ボトルの上部に付設されたスプレ−ポンプを機械的に押圧する等の動作により、手指操作ではなく、機械的な操作にて、消毒除菌液を噴射させることができるようになっている。
しかし、従来例の足踏み式消毒液供給装置では、当該足踏み式消毒液供給装置の正面に立って消毒除菌液を噴射させると、消毒除菌液が人の衣服に飛び跳ねることがあり、当該足踏み式消毒液供給装置の使用を回避する人が存在することがある。
又、上記で使用されている消毒除菌スプレ−ボトルは、千差万別で、高さ寸法等において異なっていて、足踏み式消毒液供給装置では、それらの相違に対処する必要がある。そうしないと、足踏み式消毒液供給装置の使用拡大には繋がらないことになる。
更には、多くの人が出入りするような場所では、スプレ−ボトルが足りなくなることもあり、スプレ−ボトル自体を足踏み式消毒液供給装置の内部に備蓄しておくことが出来、臨機応変に対処できることも求められている。
【先行技術文献】
【特許文献】
【０００３】
【特許文献１】特開２００８−２２９２９６号公報、特開２０１１−１１０２５２号公報
【考案の開示】
【考案が解決しようとする課題】
【０００４】
本考案は、上記に鑑み、足踏み式消毒液供給装置において、ペダル操作の当該足踏みによる消毒液の供給の際に、人の衣服に消毒液が飛び跳ねたりすることを回避し、又、使用される消毒除菌スプレ−ボトルが、千差万別で、高さ寸法等において異なっていても、それらに十二分に対処することができ、更には、スプレ−ボトルを内部に備蓄しておくことができる等数々の利点を有する足踏み式消毒液供給装置に関連した技術を提供することを目的とする。
本考案のその他の目的および新規な特徴は以下の明細書及び図面の記載からも明らかになるであろう。
【課題を解決するための手段】
【０００５】
本考案の実用新案登録請求の範囲は、次の通りである。
（請求項１） ペダル部と、当該ペダル部に連接するように付設されたペダル受け部と、当該ペダル受け部に連動して動作するバネ部と、消毒除菌液の入ったスプレ−ボトルの上部に付設されたスプレ−ポンプを前記ペダル部操作により押圧して消毒除菌液を噴射させることができる押圧部と、当該押圧部と当該ペダル受け部との間を連結するジョイント部と、当該消毒除菌液の入ったスプレ−ボトルを搭載することができるスプレ−ボトル搭載部とを具備してなり、前記ペダル部が前記ペダル受け部に対して脱着可能に構成されてなることを特徴とする足踏み式消毒液供給装置。
（請求項２）  更に、スプレ−ボトル搭載部に搭載されたスプレ−ボトルの高さの変化に応じて、スプレ−ボトル搭載部の高さを調節可能なツマミ部を備えてなることを特徴とする、請求項１に記載の足踏み式消毒液供給装置。
（請求項３）更に又、消毒除菌液の入ったスプレ−ボトルを備蓄しておくことができる備蓄空間部を設けてなることを特徴とする、請求項１又は２に記載の足踏み式消毒液供給装置。
【考案の効果】
【０００６】
本願において開示される考案のうち代表的なものによって得られる効果を簡単に説明すれば、下記のとおりである。
【０００７】
本考案によれば、請求項１に示すように  ペダル部と、当該ペダル部に連接するように付設されたペダル受け部と、当該ペダル受け部に連動して動作するバネ部と、消毒除菌液の入ったスプレ−ボトルの上部に付設されたスプレ−ポンプを前記ペダル部操作により押圧して消毒除菌液を噴射させることができる押圧部と、当該押圧部と当該ペダル受け部との間を連結するジョイント部と、当該消毒除菌液の入ったスプレ−ボトルを搭載することができるスプレ−ボトル搭載部とを具備してなり、前記ペダル部が前記ペダル受け部に対して脱着可能に構成されてなることにより、次のような作用効果を奏することができる。
本考案の足踏み式消毒液供給装置によれば、消毒液の供給の際に、不特定多数の人が消毒液ボトルに触れることに対し警戒心を持ち、消毒液ボトルに触れることを躊躇したりする人がいるが、人が消毒液ボトルに手を触れてボトルからの消毒液の供給を受けるという操作が必要がなく、ペダル操作で足踏みにより消毒液の供給をなし得る。
しかも、本考案の足踏み式消毒液供給装置におけるペダル部は、ペダル受け部に対して脱着可能に構成されてなるので、ペダル部をペダル受け部から脱着して、反対方向に取付けるようにすれば、ペダル操作の当該足踏みによる消毒液の供給の際に、人の衣服に消毒液が飛び跳ねたりすることを回避出来るという利点を有する。
【０００８】
本考案によれば、請求項２に示すように、当該足踏み式消毒液供給装置において、更に、スプレ−ボトル搭載部に搭載されたスプレ−ボトルの高さの変化に応じて、当該スプレ−ボトル搭載部の高さを調節可能なツマミ部を備えてなることにより、消毒除菌スプレ−ボトルの高さ寸法が千差万別に変化しても、スプレ−ボトルの高さの変化に応じて当該スプレ−ボトル搭載部の高さを調節できるので、そのツマミ操作により、臨機応変に対応できる。
【０００９】
本考案によれば、請求項３に示すように、更に又、当該足踏み式消毒液供給装置において、消毒除菌液の入ったスプレ−ボトルを備蓄しておくことができる備蓄空間部を設けてなることにより、消毒除菌液の入ったスプレ−ボトルの供給がストップして難儀するようなことを回避できる。
【００１０】
次に、本考案の実施例を図面を参照しつつ説明する。
【実施例】
【００１１】
図１は、本考案の一実施例を示す足踏み式消毒液供給装置１の一例側面図で、本考案の当該足踏み式消毒液供給装置１の基本動作を示しており、当該実施例を示す足踏み式消毒液供給装置１は、装置本体部２と基台部３とを備えてなり、当該装置本体部２の底部には、下側からバネ部４とその上部に位置するペダル受け部５とが付設されている。
当該ペダル受け部５は、例えば、管状に構成され、図示のように、ペダル部６の端部６０が装着できるように構成されている。
図１に示す足踏み式消毒液供給装置１では、その図示例では、その左側が、当該装置１の使用に際しては、正面側に当り、通常では、ペダル部６は、当該図示左側から、その端部６０を当該ペダル受け部５に装着し、当該ペダル部６を足踏み（押す）して、図示のように、スプレ−ボトルＳのノズルから消毒除菌液を噴射させる。
しかしながら、当該足踏み式消毒液供給装置１の正面側に立って、図示のように、消毒除菌液を噴射させると、消毒除菌液が人の衣服に飛び跳ねることがあり、当該足踏み式消毒液供給装置１の使用を回避する人が存在することがある。
そこで、本考案では、当該ペダル部６を当該ペダル受け部５に対して脱着可能に構成しており、適宜、図示のように、当該ペダル部６を当該ペダル受け部５から脱して、その図示例では、その右側の前記正面側に対しては反対側（背面側）から、当該ペダル部６の端部を当該ペダル受け部５に装着し、当該ペダル部６を足踏み（押す）して、図示のように、同様にして、スプレ−ボトルＳのノズルから消毒除菌液を噴射させるようにする。
そうすると、消毒除菌液を噴射させても、消毒除菌液が人の衣服に飛び跳ねることが回避できる。
上記の場合、図示では、ペダル部６と足の向きを１８０°の角度にしての操作例を示したが、ペダル部６と足の向きを９０°の角度等にしての操作でもよい。
【００１２】
図１に示す足踏み式消毒液供給装置１で、スプレ−ボトルＳのノズルから消毒除菌液が噴射される動作例を説明すると、当該ペダル部６を足踏み（押す）すると、当該ペダル部６に連接するように付設されたペダル受け部５と、消毒除菌液の入ったスプレ−ボトルＳの上部に付設されたスプレ−ポンプを前記ペダル部６操作により押圧して消毒除菌液を噴射させることができる押圧部７とは、当該押圧部７と当該ペダル受け部５との間を連結するジョイント部８を介して連結されているので、当該ペダル部６の足踏み動作により、当該押圧部７が下降して、消毒除菌液の入ったスプレ−ボトルＳの上部に付設されたスプレ−ポンプを押圧してスプレ−ポンプのノズルから消毒除菌液を噴射させることができる。
【００１３】
本考案の足踏み式消毒液供給装置１では、図１に示すように、装置本体部２の上端とペダル受け部５との間に、溝部９が溝設されていて、消毒除菌液の入ったスプレ−ボトルＳの上部に付設されたスプレ−ポンプを前記ペダル部操作により押圧して消毒除菌液を噴射させることができる押圧部７と当該ペダル部６に連接するように付設されたペダル受け部５との間を連結するジョイント部８が、当該溝部９の内部を上下に摺動して、前記したように、当該ペダル部６を足踏み（押す）すると、当該ペダル部６に連接するように付設されたペダル受け部５とが、当該ジョイント部８を介して連結されているので、当該ペダル部６の足踏み動作により、当該押圧部７が下降して、消毒除菌液の入ったスプレ−ボトルＳの上部に付設されたスプレ−ポンプを押圧してスプレ−ポンプのノズルから消毒除菌液を噴射させることができる。
【００１４】
本考案の足踏み式消毒液供給装置１では、図１に示すように、装置本体部２のスプレ−ボトル搭載部１０には、当該スプレ−ボトル搭載部１０の高さを調節可能なツマミ部１１が付設されており、当該ツマミ部１１のツマミ操作により、スプレ−ボトル搭載部１０に搭載されたスプレ−ボトルＳの高さの変化に応じて、臨機応変に対応できるようになっている。
【００１５】
本考案の足踏み式消毒液供給装置１では、図１に示すように、当該足踏み式消毒液供給装置において、当該スプレ−ボトル搭載部１０の下部に、消毒除菌液の入ったスプレ−ボトルＳを備蓄しておくことができる備蓄空間部１２を設けており、消毒除菌液の入ったスプレ−ボトルＳを備蓄しておくことにより、消毒除菌液の入ったスプレ−ボトルＳの供給がストップして難儀するようなことを回避できるようになっている。
【００１６】
図２は、本考案の実施例を示す正面図で、足踏み式消毒液供給装置１は、装置本体部２と基台部３とを備えてなり、当該装置本体部２では、消毒除菌液の入ったスプレ−ボトルＳは、それを搭載することができるスプレ−ボトル搭載部１０に載置されるようになり、消毒除菌液の入ったスプレ−ボトルＳの上部に付設されたスプレ−ポンプをペダル部６の操作により押圧して消毒除菌液を噴射させることができる押圧部７とペダル部６に連接するように付設されたペダル受け部５とがジョイント部８で連結され、スプレ−ボトル搭載部１０の下位には、消毒除菌液の入ったスプレ−ボトルＳを備蓄しておくことができる備蓄空間部１２を介してペダル受け部５が設けられ、当該ペダル受け部５の下位には、バネ部４が設けられている。
当該ペダル受け部５は、ペダル部６に連接するように付設され、当該ペダル部６は、図示のように、当該ペダル受け部５に対して脱着可能に構成されてなる。
【００１７】
図３に、本考案に使用されるペダル部（足踏み部）６の一つの実施例を示す。
図３（Ａ）は、当該ペダル部（足踏み部）６の側面図で、図３（Ｂ）は、当該ペダル部（足踏み部）６の全体俯瞰図である。
当該ペダル部（足踏み部）６は、例えば、長方形の立方体に構成され、その端部６０には、ペダル受け部５への引掛け部空間が形成され、当該ペダル部６が当該ペダル受け部５に対して脱着可能なように構成されている。
【００１８】
図４は、本考案の実施例を示す足踏み式消毒液供給装置１の上記正面図の断面図で、消毒除菌液の入ったスプレ−ボトルＳの上部に付設されたスプレ−ポンプをペダル部操作により押圧して消毒除菌液を噴射させることができる押圧部７とペダル部６に連接するように付設されたペダル受け部５とがジョイント部８で連結されていることが示されている。
ペダル部（足踏み部）６を、図４（Ｂ）に示すように上方から押すと、バネ部４に負荷が掛り、当該ペダル受け部５と消毒除菌液の入ったスプレ−ボトルＳの上部に付設されたスプレ−ポンプを前記ペダル部操作により押圧して消毒除菌液を噴射させることができる押圧部７とがジョイント部８を介して連結されているので、ペダル部（足踏み部）６の押圧力が、当該ジョイント部８を介して当該押圧部７に伝達されて、当該押圧部７が下降して、消毒除菌液の入ったスプレ−ボトルＳの上部に付設されたスプレ−ポンプを押圧してスプレ−ポンプのノズルから消毒除菌液を噴射させることができる。
【００１９】
図５は、本考案の実施例を示す足踏み式消毒液供給装置１の背面図で、装置本体部１のスプレ−ボトル搭載部１０には、当該スプレ−ボトル搭載部１０の高さを調節可能なツマミ部１１が付設されている。
当該ツマミ部１１は、その図示例のように、円形に構成され、当該ツマミ部１１部を回転させると、当該スプレ−ボトル搭載部１０を開口部において上下させ、当該スプレ−ボトル搭載部１０の高さを調節でき、当該ツマミ部１１のツマミ操作により、スプレ−ボトル搭載部１０に搭載されたスプレ−ボトルＳの高さの変化に応じて、臨機応変に対応できるようになっている。
【００２０】
図６（Ａ）は、本考案の実施例を示す足踏み式消毒液供給装置１の背面の断面図で、前記のように、本考案の足踏み式消毒液供給装置では、装置本体部２の上端とペダル受け部５との間に、溝部９が溝設されていて、当該溝部９の内部を、押圧部７とペダル受け部５との間を連結するジョイント部８が上下に摺動して、ペダル部６を足踏み（押す）すると、押圧部７が下降して、消毒除菌液の入ったスプレ−ボトルＳの上部に付設されたスプレ−ポンプを押圧してスプレ−ポンプのノズルから消毒除菌液を噴射させるようになっている。図６（Ｂ）のＡ−Ａ線断面図に示すように、押圧部７の上部と装置本体部２の上端との間には溝部９が形成されている。この場合、当該ジョイント部８は、当該溝部９の内部には突き出していないが、図６（Ｃ）のＢ−Ｂ線断面図では、当該ジョイント部８は、当該溝部９の内部には突き出していることが示されている。
このように、本考案の足踏み式消毒液供給装置１では、図１及び図６に示すように、装置本体部２の上端とペダル受け部５との間に、溝部９が溝設されていて、押圧部７と当該ペダル部６に連接するように付設されたペダル受け部５との間を連結するジョイント部８が、当該溝部９の内部を上下に摺動して、当該ペダル部６の足踏み動作により、当該押圧部７が下降して、消毒除菌液の入ったスプレ−ボトルＳの上部に付設されたスプレ−ポンプを押圧してスプレ−ポンプのノズルから消毒除菌液を噴射させることができる。又、図６（Ｂ）のＡ−Ａ線断面図に示すように、当該押圧部７が当該溝部９の内部を上方向に摺動することができるようにもなっている。即ち、スプレ−ボトルＳの高さが、より上昇すれば、当該ジョイント部８は、当該溝部９の内部には突き出し、当該溝部９内を上下に摺動する。
【００２１】
図７は、本考案の実施例を示す足踏み式消毒液供給装置１の背面の一部図で、
本考案の足踏み式消毒液供給装置１では、前記図１でも説明したが、図１及び図７に示すように、装置本体部２のスプレ−ボトル搭載部１０には、当該スプレ−ボトル搭載部１０の高さを調節可能なツマミ部１１が付設されており、当該ツマミ部１１のツマミ操作により、スプレ−ボトル搭載部１０に搭載されたスプレ−ボトルＳの高さの変化に応じて、臨機応変に対応できるようになっている。
【００２２】
図８は、図１と同じ、本考案の一実施例を示す足踏み式消毒液供給装置１の一例側面図で、本考案の足踏み式消毒液供給装置１では、通常は、図示の左側のスプレ−ボトルＳの挿着口（空間）からスプレ−ボトルＳを挿着する。一方、図示の右側は、図５に示すように、ツマミ部１１の取付け壁が存在し、当該図示の右側からはスプレ−ボトルＳを挿着できないが、高さの比較的に低いスプレ−ボトルＳ等は挿着できる。
【００２３】
本考案は上記実施例に限定されず、適宜変更が可能である。
本考案で、バネ部４として、上記実施例のものを例示したが、当該実施例に限定されず、適宜変更が可能である。
本考案では、ペダル部６の足踏みにより、消毒除菌液の入ったスプレ−ボトルＳの上部に付設されたスプレ−ポンプを押圧してスプレ−ポンプのノズルから消毒除菌液を噴射させることが基本であるが、足の不自由な人もおり、押圧部７と装置本体部２の上端部との間の空間から、手を差し入れて当該押圧部７を押圧して、スプレ−ポンプのノズルから消毒除菌液を噴射させるようにしてもよい。
本考案では、スプレ−ボトル搭載部１０の下部に、消毒除菌液の入ったスプレ−ボトルＳを備蓄しておくことができる備蓄空間部１２を設けているが、当該備蓄空間部１２の補強のために、補強版を追加しておくとよい。
【産業上の利用可能性】
【００２４】
本考案の足踏み式消毒液供給装置は、各種の消毒除菌液の入ったスプレ−ボトルに適用でき、スプレ−ボトルの高さの変化のみならず、太さの違い等にもに対応できる。
【図面の簡単な説明】
【００２５】
【図１】本考案の一実施例を示す足踏み式消毒液供給装置の一例側面図である。
【図２】本考案の実施例を示す足踏み式消毒液供給装置の正面図である。
【図３】（Ａ）は、本考案の実施例を示す足踏み式消毒液供給装置におけるペダル部（足踏み部）の側面図で、（Ｂ）は、当該ペダル部（足踏み部）の全体俯瞰図である。
【図４】本考案の実施例を示す足踏み式消毒液供給装置の正面図の断面図である。
【図５】本考案の唾液採取用隔壁の使用例の更に一例を示す説明図である。
【図６】（Ａ）本考案の実施例を示す足踏み式消毒液供給装置の背面の断面図である。（Ｂ）当該足踏み式消毒液供給装置のＡ−Ａ線断面図、（Ｃ）当該足踏み式消毒液供給装置のＢ−Ｂ線断面図である。
【図７】本考案の実施例を示す足踏み式消毒液供給装置の背面の一部図である。
【図８】本考案の他の実施例を示す足踏み式消毒液供給装置の一例側面図である。
【符号の説明】
【００２６】
１・・・足踏み式消毒液供給装置
２・・・装置本体部
３・・・基台部
４・・・バネ部
５・・・ペダル受け部
６・・・ペダル部
７・・・押圧部
８・・・ジョイント部
９・・・溝部
１０・・・スプレ−ボトル搭載部
１１・・・ツマミ部
１２・・・備蓄空間部
Ｓ・・・スプレ−ボトル
【図１】
0003229054.tif 000003
【図２】
0003229054.tif 000004
【図３】
0003229054.tif 000005
【図４】
0003229054.tif 000006
【図５】
0003229054.tif 000007
【図６】
0003229054.tif 000008
【図７】
0003229054.tif 000009
【図８】
0003229054.tif 000010